(57)【要約】【課題】プラグとプラグコネクターとの間の電気的な接続をより確実に形成すること、および、プラグまたはプラグコネクターに接続されている電気回路内の帯電による損傷の危険を低減させること。【解決手段】少なくとも１つのコンタクトチャンバは外面を有しており、かつ挿入された状態または引き出された状態をとるために前記プラグの挿入方向に平行な方向に可動に構成されている。【選択図】図２
2014056823.tif 000002
【特許請求の範囲】
【請求項１】
プラグ（２００）と電気的な接続を形成するためのプラグコネクター（１００）であって、
前記プラグコネクター（１００）は、内面（１６０）を備えた１つのケーシング（１１０）と複数のコンタクトチャンバ（１２０）とを有しており、
前記各コンタクトチャンバ（１２０）は、前記プラグ（２００）の各プラグコンタクト（２１０）と電気的な接続を形成するよう構成されている、プラグコネクターにおいて、
少なくとも１つのコンタクトチャンバ（１１９）は外面（１２１）を有しており、かつ挿入された状態または引き出された状態をとるために前記プラグの挿入方向（１４０）に平行な方向に可動に構成されている、
ことを特徴とするプラグコネクター（１００）。
【請求項２】
前記プラグコネクターは、前記可動に構成されているコンタクトチャンバ（１１９）の挿入方向（１４０）における運動に第１の機械的な抵抗で抵抗し、前記可動に構成されているコンタクトチャンバ（１１９）の引き出し方向（１５０）における運動に第２の機械的な抵抗で抵抗するように構成されており、
前記第１の機械的な抵抗は前記第２の機械的な抵抗よりも大きい、請求項１記載のプラグコネクター（１００）。
【請求項３】
前記ケーシング（１１０）の前記内面（１６０）に形状が与えられており、
前記形状が与えられた内面（１６０）は前記可動に構成されたコンタクトチャンバ（１１９）の挿入方向（１４０）に沿って延在しており、
前記形状が与えられた内面（１６０）は、前記可動に構成されているコンタクトチャンバ（１１９）の運動時に、前記第１の機械的な抵抗および前記第２の機械的な抵抗を発生させるよう構成されている、請求項１または２記載のプラグコネクター（１００）。
【請求項４】
前記可動に構成されているコンタクトチャンバ（１１９）の外面（１２１）に形状が与えられており、
前記形状が与えられた外面（１２１）は、前記可動に構成されているコンタクトチャンバ（１１９）の運動時に、前記ケーシング（１１０）の内面（１６０）に沿って動くよう配置されている、請求項１から３までのいずれか１項記載のプラグコネクター（１００）。
【請求項５】
前記可動に構成されているコンタクトチャンバ（１１９）の外面（１２１）の少なくとも一部または前記ケーシング（１１０）の内面（１６０）の少なくとも一部は、摩擦を高めるコーティングを有している、請求項１から４までのいずれか１項記載のプラグコネクター（１００）。
【請求項６】
前記可動に構成されているコンタクトチャンバ（１１９）はクランプエレメント（１７０）を有しており、前記クランプエレメントは、前記可動に構成されているコンタクトエレメント（１２０）の外面（１２１）から、前記ケーシング（１１０）の内面（１６０）の方向へ突出するよう配置されており、前記可動に構成されているコンタクトチャンバ（１１９）の、挿入方向（１４０）への運動時の機械的な抵抗は、前記可動に構成されているコンタクトチャンバ（１２０）の、引き出し方向（１５０）への運動時の機械的な抵抗よりも高い、請求項１から５までのいずれか１項記載のプラグコネクター（１００）。
【請求項７】
前記可動に構成されているコンタクトチャンバ（１１９）は、コンタクト壁部（１２３）を備えたコンタクトエレメント（１２２）を有しており、
前記コンタクト壁部（１２３）は、前記外面（１２１）へ向かう方向（１２８）における前記コンタクト壁部（１２３）の運動時に、前記コンタクトエレメント（１７０）へ力作用を及ぼし、これによって前記クランプエレメント（１７０）は、前記外面（１２１）へ向かい、前記ケーシングの内面（１６０）から離れる方向（１２９）に動く、請求項６記載のプラグコネクター（１００）。
【請求項８】
挿入された状態または引き出された状態をとるために可動に構成されているコンタクトチャンバ（１１９）は１つである、請求項１から７までのいずれか１項記載のプラグコネクター（１００）。
【請求項９】
電気的な接続を形成するための接続エレメント（３００）であって、
請求項１から８までのいずれか１項記載のプラグコネクター（１００）と、複数のプラグコンタクト（２１０）を備えたプラグ（２００）とを有しており、
少なくとも１つのプラグコンタクト（２１０）は、前記引き出された状態にある、可動に構成されているコンタクトチャンバ（１１９）と電気的な接続を形成するよう構成されており、かつ、前記可動に構成されているコンタクトチャンバ（１１９）を前記挿入方向（１４０）で動かして、前記プラグ（２００）が前記プラグコネクター（１００）と電気的な接続を形成するよう構成されている、
ことを特徴とする接続エレメント（３００）。
【請求項１０】
前記引き出し方向（１５０）への前記プラグ（２００）の運動時に、前記可動に構成されているコンタクトチャンバ（１１９）と電気的に接続されている前記プラグコンタクト（２１０）は、前記可動に構成されているコンタクトチャンバ（１２０）を前記引き出し方向（１５０）で動かし、
前記可動に構成されているコンタクトチャンバ（１１９）と電気的に接続されている前記プラグコンタクト（２１０）は、前記可動に構成されているコンタクトチャンバが引き出された状態になってからはじめて、前記引き出し方向（１５０）において前記可動に構成されているコンタクトチャンバ（１２０）から引き出されるように構成されている、請求項９記載の接続エレメント（３００）。
【発明の詳細な説明】
【技術分野】
【０００１】
本発明は、電気的なプラグコネクターに関する。殊に本発明は、プラグとの電気的な接続を形成するプラグコネクター並びに電気的な接続を形成する接続エレメントに関する。
【背景技術】
【０００２】
プラグコネクターおよびプラグは、解除可能な電気的な接続を形成するために利用される。ここで、プラグコネクターは、多数のコンタクトチャンバを有することができ、各コンタクトチャンバは、プラグのプラグコンタクトと電気的な接続を形成するように構成されている。プラグがプラグコネクターと接続される場合には、プラグの複数のプラグコンタクトが、プラグコネクターの割り当てられた各コンタクトチャンバ内に挿入され、これと機械的な接続および導電性接続を形成する。
【０００３】
ＤＥ１０２０１００６３４８６Ａ１号は、このような例示的な電気的なプラグコネクター並びにその基本的な機能を開示している。
【先行技術文献】
【特許文献】
【０００４】
【特許文献１】ＤＥ１０２０１００６３４８６Ａ１号
【発明の概要】
【発明が解決しようとする課題】
【０００５】
本発明の課題は、プラグとプラグコネクターとの間の電気的な接続をより確実に形成すること、および、プラグまたはプラグコネクターに接続されている電気回路内の帯電による損傷の危険を低減させることである。
【課題を解決するための手段】
【０００６】
上述の課題は、少なくとも１つのコンタクトチャンバは外面を有しており、かつ挿入された状態または引き出された状態をとるためにプラグの挿入方向に平行な方向に可動に構成されているプラグコネクターによって解決される。さらに、上述の課題は、少なくとも１つのプラグコンタクトは、引き出された状態にある、可動に構成されているコンタクトチャンバと電気的な接続を形成するように、および、可動に構成されているコンタクトチャンバが挿入方向へと動き、プラグがプラグコネクターと電気的な接続を形成するように構成されている接続エレメントによって解決される。
【図面の簡単な説明】
【０００７】
【図１】本発明の１つの実施例に即したプラグコネクターの概略図
【図２】本発明の別の実施例に則した接続エレメントの概略図
【図３】本発明の別の実施例に則した接続エレメントの概略図
【図４Ａ】本発明の別の実施例に則したプラグコネクターのコンタクトエレメントおよびケーシングの概略図
【図４Ｂ】本発明の別の実施例に則したプラグコネクターのコンタクトチャンバおよびケーシングの概略図
【発明を実施するための形態】
【０００８】
独立請求項の特徴部分に記載されている構成を有する、プラグと電気的な接続を形成するためのプラグコネクター、並びに、電気的な接続を形成するための接続エレメントを提示する。本発明の発展形態は、従属請求項および後続の説明に記載されている。
【０００９】
本発明の第１の態様では、プラグと電気的な接続を形成するためのプラグコネクターが提示される。ここでこのプラグコネクターは、内面を備えた１つのケーシングと、多数のコンタクトチャンバとを有する。ここで各コンタクトチャンバは、プラグの各プラグコンタクトと電気的な接続を形成するよう構成されている。プラグコネクターは次の特徴を有している。すなわち、少なくとも１つのコンタクトチャンバが外面を有しており、かつ挿入された状態または引き出された状態をとるために、プラグの挿入方向と平行な方向において可動に構成されている、という特徴を有している。
【００１０】
少なくとも１つの可動に構成されたコンタクトチャンバは、プラグコネクターのケーシングに対して、および、プラグコネクターの少なくとも１つの別のコンタクトチャンバに対して運動を行う、ないしは遂行するよう構成されている。
【００１１】
可動に構成されたコンタクトチャンバの引き出された状態において、このコンタクトチャンバは、いわゆる事前接触用コンタクト（voreilenden Kontakt）である。なぜなら、このコンタクトチャンバは、引き出された状態において、プラグコネクターの方向に案内され、はめ込まれるプラグによって最初に接触され、第１のコンタクトチャンバとして、プラグのプラグコンタクトに対して電気的な接続を形成するからである。これによって、例えば、電気的な接触がプラグのプラグコンタクトと、属するないしは割り当てられているプラグコンタクトのコンタクトチャンバとの間に形成される順番が決まる。
【００１２】
上述されたような、および後に述べるようなプラグコネクターは、１つまたは複数の可動に構成されたコンタクトチャンバを有することができる。ここで、可動に構成されたコンタクトチャンバの各々は、同じ距離または相違する距離にわたって動かされる。１つまたは複数の可動に構成されているコンタクトチャンバの他に、プラグコネクターが１つまたは複数の、動かないように構成されたコンタクトチャンバを有することができる。
【００１３】
本発明の１つの実施形態では、プラグコネクターは、可動に構成されているコンタクトチャンバの、挿入方向における運動に、第１の機械的な抵抗によって抵抗するように構成されており、可動に構成されているコンタクトチャンバの、引き出し方向における運動に、第２の機械的な抵抗によって抵抗するように構成されている。ここで第１の機械的な抵抗は第２の機械的な抵抗よりも大きい。換言すれば、コンタクトチャンバ内へのプラグコンタクトの挿入と、コンタクトチャンバからのプラグコンタクトの引き出しとの間に、非対称な機械的な抵抗比が生じるべきである。
【００１４】
従ってこのようなプラグコネクターへのプラグのはめ込み運動時には、プラグのプラグコンタクトが、引き出された状態にあるコンタクトチャンバ内に挿入され、コンタクトチャンバは挿入方向へのプラグのさらなる運動によってはじめて、挿入状態に動かされ、ここで、プラグの残りのプラグコンタクトはそれぞれ、引き出された状態にない、プラグコネクターの他のコンタクトチャンバの１つを電気的に接触接続する。
【００１５】
挿入方向への、可動に構成されたコンタクトチャンバの運動時の第１の機械的な抵抗は、引き出し方向における第２の機械的な抵抗よりも大きいので、これは次のことを意味する。すなわち、引き出し方向におけるプラグの運動時にまずは、可動に構成されているコンタクトチャンバがプラグコンタクトおよびプラグとともに引き出し方向に動かされ、可動に構成されているコンタクトチャンバが引き出された状態になってからはじめて、可動に構成されているコンタクトチャンバ内に存在するプラグのプラグコンタクトがコンタクトチャンバから引き出される、ということを意味する。可動に構成されたコンタクトチャンバが引き出された状態になる前に既に、プラグの残りのプラグコンタクトが、自身に割り当てられた、プラグコネクターのコンタクトチャンバから離れる場合には、残りのプラグコンタクトと残りのコンタクトチャンバとの間に電気的な接続はもはや生じない。
【００１６】
本発明の別の実施形態では、ケーシングの内面に形状が与えられ、この内面は可動に構成されているコンタクトチャンバの挿入方向に沿って延在する。形状が与えられたこの内面は、第１の機械的な抵抗および第２の機械的な抵抗が、可動に構成されているコンタクトチャンバの運動時に発生されるよう構成されている。
【００１７】
形状が与えられている内面は例えば、粗面化された、または、粒面化された表面を有している。従って、内面に当接して内面に沿って動く、コンタクトチャンバの機械的な摩擦抵抗が大きくなる。この内面は、例えば鋸歯パターンで陥没部および隆起部を有することができる。この鋸歯パターンは、ここで殊に、横断面において非対称に設計され得る。従って、引き出し方向における個々の歯の勾配は、挿入方向における個々の歯の勾配とは異なる。
【００１８】
本発明の別の実施形態では、可動に構成されているコンタクトチャンバの外面が、可動に構成されたコンタクトチャンバの運動時に、ケーシングの内面に沿って動くように、形成され、配置される。
【００１９】
すなわち、可動に構成されているコンタクトチャンバの外面は、ケーシングの内面に当接可能であり、可動に構成されているコンタクトチャンバの外面にもケーシングの内面にも形状が与えられていることによって、ケーシングに対するコンタクトチャンバの機械的な摩擦抵抗が形成される。ケーシングの内面に対する上述した説明は、コンタクトチャンバの外面にも当てはまる。
【００２０】
本発明の別の実施形態では、可動に構成されているコンタクトチャンバの外面の少なくとも一部またはケーシングの内面の少なくとも一部は、摩擦を高めるコーティングを有している。
【００２１】
摩擦を高めるコーティングとは例えば、ゴムが引かれた部分のことであり得る。しかし例えば、コンタクトチャンバとケーシングとの間にゴム環が設けられていてもよい。このゴム環はここの場合には殊に、コンタクトチャンバの周りに配置される。用語「ゴム環」の使用に関係せず、これによって、コンタクトチャンバの横断面幾何学形状は制限されない。なぜなら、ゴム環は、各横断面幾何学形状に整合可能だからである。これは例えば四角形または円形の横断面幾何学形状である。
【００２２】
摩擦を高めるコーティングを有している部分は、例えば、挿入方向ないしは引き出し方向におけるケーシングの内面の一部であってよい。
【００２３】
本発明の別の実施形態では、可動に構成されているコンタクトチャンバは、クランプエレメントを有している。このクランプエレメントは、可動に構成されているコンタクトエレメントの外面からケーシングの内面の方向へ突出する（abzuragen）ように配置されており、これによって非対称な機械的な抵抗比が発生される。
【００２４】
クランプエレメントは、コンタクトエレメントの外側に配置可能であり、この外面とクランプエレメントの長手方向延在部との間に特定の角度が生じる。外面での、クランプエレメントの固定点から出発して、クランプエレメントは挿入方向へと突出する。これによって、このように配置されたクランプエレメントが非対称の機械的な抵抗比を発生させる。
【００２５】
本発明の別の実施形態では、コンタクトチャンバは、コンタクト壁部を備えたコンタクトエレメントを有している。ここでこのコンタクト壁部は、コンタクトチャンバの外面へ向かうコンタクト壁部の運動時に、クランプエレメントに次のように力作用を及ぼす。すなわち、クランプエレメントが外面へ向かい、かつ、ケーシングの内面から離れる方向で動くように及ぼす。
【００２６】
クランプエレメントは、例えば、てこの形態でまたはシーソの形態で実現される。ここで、コンタクトエレメントのコンタクト壁部はてこの片側で押され、てこ、すなわちコンタクトエレメントの別の側は、ケーシングの内面から離れるように動き、これによってコンタクトチャンバの運動時の、ケーシングに対する機械的な抵抗が低減される。
【００２７】
この構造によって次のことも可能になる。すなわち、可動に構成されているコンタクトチャンバが引き出された状態にロックされ、コンタクト壁部がクランプエレメントを動かして、このロック状態を解除してからはじめて、引き出された状態のロック段階から挿入状態の方向に動かされる、ということも可能になる。コンタクト壁部は例えば、コンタクトチャンバ内に挿入されているプラグコンタクトによってクランプエレメントの方向に押圧されて、クランプエレメントはコンタクト壁部のこの運動の結果として、ケーシングの内面との機械的な接触を失う。これによって次のことが保証される。すなわち、プラグのプラグコンタクトがコンタクトチャンバないしはコンタクトエレメント内に存在してはじめて、コンタクトチャンバが引き出された状態から挿入状態に動かされる、ということが保証される。プラグコンタクトがコンタクトチャンバ内に存在する間は、コンタクトチャンバは低減された機械的な抵抗によって動かされる。従って、可動に構成されているコンタクトチャンバは、引き出し方向におけるプラグの運動時に、まずはプラグおよびプラグコンタクトとともに動かされる。これは、可動に構成されたコンタクトチャンバが引き出された状態に達するまで行われる。この引き出された状態において、次に、可動に構成されているコンタクチャンバ内に存在するプラグコンタクトもこのコンタクトチャンバから引き出される。ここでコンタクトエレメントのコンタクト壁部は、コンタクトチャンバ内で、もはや力作用をクランプエレメントに及ぼさず、クランプエレメントはこれによってケーシングの内面の方向に動き、可動に構成されているこのコンタクトエレメントは引き出された状態にロックされる。
【００２８】
本発明の別の実施形態では、１つのコンタクトチャンバが可動に構成されており、これによって、プラグコネクターのケーシングに対して、挿入状態または引き出された状態をとることができる。
【００２９】
この１つのコンタクトチャンバは例えばアース端子であり得る。ここでこのプラグコネクターは上述したように、および、後述するように次のことを可能にする。すなわち、このアース端子が、プラグコネクターへのプラグのはめ込み運動時にははじめに電気的に接触接続され、プラグの引き出し運動時には、プラグコネクターから最後に解除されることを可能にする。
【００３０】
これによって殊に、電子回路内の帯電によって生じ得る損傷を回避することができる。このプラグコネクターは、上述したように、および以降で説明するように、殊に、省スペースの設計を可能にする。なぜなら、事前接触用コンタクトが延長されたプラグコンタクトを要求しないからである。このような延長されたプラグコンタクトには、プラグのはめ込み状態において、場所が付加的に設けられるだろう。
【００３１】
本発明の別の態様では、電気的な接続を形成する接続エレメントが提示されている。ここでこの接続エレメントは、上述したようなおよび後続するようなプラグコネクターと、多数のプラグコンタクトを備えているプラグとを有している。ここで、少なくとも１つのプラグコンタクトは、引き出された状態にある可動に構成されたコンタクトチャンバと電気的な接続を形成し、可動に構成されたコンタクトチャンバを挿入方向に動かすよう構成されている。これによってプラグは、プラグコネクターと電気的な接続を形成する。
【００３２】
殊に次のことに留意されたい。すなわち、配置されているプラグコンタクトが可動に構成されているコンタクトチャンバと電気的な接続を形成し、この電気的な接続は、プラグの他のプラグコンタクトがプラグコネクターの別のコンタクトチャンバと電気的な接続を形成する前に形成される、ということに留意されたい。
【００３３】
本発明の１つの実施形態では、可動に構成されているコンタクトチャンバと電気的に接続しているプラグコンタクトは、可動に構成されているこのコンタクトチャンバを、引き出し方向へのプラグの運動時に、引き出し方向に動かす。ここで、可動に構成されているコンタクトチャンバと電気的に接続しているプラグコンタクトは、可動に構成されているコンタクトチャンバが引き出された状態になってからはじめて、可動に構成されているコンタクトチャンバから引き出し方向に引き出されるように構成されている。
【００３４】
これはさらに次のことを意味する。すなわち、動かないように構成されているコンタクトチャンバと電気的に接続されている、プラグのプラグコンタクトがまずはこれらのコンタクトチャンバから離れて、その電気的な接続が解除され、その後、可動に構成されているコンタクトチャンバと電気的に接続されているプラグコンタクトが可動に構成されているコンタクトチャンバから解除される、ということを意味する。
【００３５】
以下で、図面を参照して、本発明の実施例を説明する。
【００３６】
図面における表示は概略的であり、縮尺通りではない。
【００３７】
以下の図面の説明では、同じ素子または類似の素子に関して同じ参照番号が使用される。
【実施例】
【００３８】
図１は、８つのコンタクトチャンバ１２０を備えたプラグコネクター１００を示している。これらのコンタクトチャンバは、それぞれ１つのコンタクトエレメント１２２を有している。プラグコネクター１００はケーシング１１０を有している。このケーシング１１０は、コンタクトチャンバ１２０を包囲している。コンタクトチャンバ１２０の１つは、可動のコンタクトチャンバ１１９として構成されている。これに対して、他のコンタクトチャンバ１２０は、固定的にケーシング１１０内に配置されている。一方で、可動に構成されているコンタクトチャンバ１１９の外面１２１とケーシング１１０との間に、他方で、可動に構成されているコンタクトチャンバ１１９の外面１２１と隣接するコンタクトチャンバの間に、機械的な抵抗素子が、可動に構成されているコンタクトチャンバ１１９を包囲しているゴム環１１８の形態で存在している。
【００３９】
可動に構成されているコンタクトチャンバは当然ながら、プラグコネクター内の任意の位置に配置可能である。すなわち、可動に構成されているコンタクトチャンバは、隣接して配置されている複数のコンタクトチャンバの縁部に位置するコンタクトチャンバであってもよいが、これが、可動でない２つのコンタクトチャンバの間に配置され、可動に構成されていてもよい。可動に構成されているコンタクトチャンバの外面とケーシングの内面との間の相互作用に関する記述は、コンタクトチャンバ、ないしは、間に配置された可動に構成されたコンタクトチャンバの外面に関するこのコンタクトチャンバの外面に対しても当てはまる。
【００４０】
図１では、可動に構成されたコンタクトチャンバ１１９が、引き出された状態で示されている。挿入状態になるために、可動に構成されたコンタクトチャンバは、挿入方向１４０に動かされなくてはならない。挿入状態において、可動に構成されたコンタクトチャンバは、残りのコンタクトチャンバと同じレベルにある。これは、プラグコネクター１００の全てのコンタクトチャンバ１２０が、挿入方向に関して、相互に同一平面上に配向されていることを意味している。
【００４１】
図２は、接続エレメント３００を示している。これはプラグコネクター１００とプラグ２００とを有している。プラグ２００は、多数のプラグコンタクト２１０を有している。ここで各プラグコンタクト２１０はそれぞれ、各コンタクトチャンバないしはコンタクトチャンバのコンタクトエレメント１２２に割り当て可能である。すなわち、各プラグコンタクト２１０は、各コンタクトエレメント１２２と電気的な接続を形成する。
【００４２】
図１と同様に、図２も、可動に構成されているコンタクトチャンバ１１９を、引き出された状態において示している。図２では、プラグ２００のプラグコンタクト２１０は、引き出された状態の、可動に構成されているコンタクトチャンバのコンタクトエレメント１２２と既に電気的な接続を形成している。ここで可動に構成されているコンタクトチャンバは、依然として、引き出された状態にある。残りのプラグコンタクトは、自身に割り当てられているコンタクトチャンバに対して、まだ、電気的な接続を形成していない。ここでプラグ２００がさらに挿入方向１４０内に動かされると、これによって、プラグ２００は、引き出された状態にある可動に構成されたコンタクトチャンバに当接し、可動に構成されたコンタクトチャンバは引き出された状態から挿入状態へと動く。従って、プラグ２００の残りのプラグコンタクト２１０はそれぞれ、プラグコネクターの、自身に割り当てられているコンタクトチャンバと電気的な接続を形成する。
【００４３】
可動に構成されたコンタクトチャンバが引き出された状態から挿入状態へと動かされることなくプラグコンタクト２１０がコンタクトチャンバ１２０内に挿入されることを可能にするために、プラグコンタクト２１０も、可動に構成されているコンタクトチャンバのコンタクトエレメント１２２も、可動に構成されているコンタクトチャンバとケーシング１１０との間の場合よりも、僅かな摩擦ないしは僅かな機械的な抵抗を相互に有していなければならない。これによってはじめに、プラグコンタクト２１０がコンタクトエレメント１２２内に挿入され、その後に、可動に構成されているコンタクトチャンバが挿入状態にされる。
【００４４】
図３は、接続エレメント３００を示している。ここではプラグ２００は完全に、プラグコネクター１００にはめ込まれている。可動に構成されているコンタクトチャンバ１１９はここで挿入された状態にあり、プラグ２００の全てのプラグコンタクト２１０は、自身に割り当てられているコンタクトチャンバ１１９、１２０と電気的な接続を形成している。
【００４５】
ここでプラグ２００が引き出し方向１５０に動かされると、可動に構成されているコンタクトチャンバ１２０は、はじめ、可動に構成されているコンタクトチャンバ内に挿入されているプラグコンタクト２１０とともに、引き出し方向１５０に動かされる。ここで同時に、残りのプラグコンタクトと、割り当てられている各コンタクトチャンバとの間の電気的な接続が解除される。プラグコンタクトと動かないコンタクトチャンバとの間の電気的な接続が解除されてからはじめて、可動に構成されているコンタクトチャンバが引き出された状態になる。ここで、可動に構成されているコンタクトチャンバとこのコンタクトチャンバ内に挿入されているプラグコンタクトとの間の電気的な接続がはじめて解除される。
【００４６】
引き出し方向１５０にプラグ２００が動く際には、可動に構成されているコンタクトチャンバ１１９のプラグコンタクト２１０とコンタクトエレメント１２２との間の摩擦抵抗ないしは機械的な抵抗は、可動に構成されているコンタクトチャンバとケーシング１１０との間並びに、可動に構成されているコンタクトチャンバに接しているコンタクトチャンバとの間のそれよりも大きくなければならない。この抵抗で、可動に構成されているコンタクトチャンバがプラグコネクターのケーシングに対して動かされる。従って、可動に構成されているコンタクトチャンバが挿入状態から引き出された状態に移行してからはじめて、可動に構成されているコンタクトチャンバと電気的に接続しているプラグコンタクトが、可動に構成されているコンタクトチャンバ１２０のコンタクトエレメント１２２から引き出される。
【００４７】
図４Ａは、コンタクトチャンバ１２０とケーシング１１０の一部を示している。コンタクトチャンバ１２０は、クランプエレメント１７０を有している。このクランプエレメントは、コンタクトチャンバの外面１２１に配置されており、外面１２１から挿入方向１４０へ向かって突出して延在している。ケーシング１１０の内面１６０は、横断面において鋸歯状の表面を有している。ここで、引き出し方向１５０に向いている第２の輪郭表面１６７は、挿入方向１４０に向いている第１の輪郭表面１６６よりも急峻である。
【００４８】
第１の輪郭表面１６６と第２の輪郭表面１６７並びに挿入方向で突出しているクランプエレメント１７０との傾斜角度が異なることによって、コンタクトチャンバ１２０の運動時、非対称の機械的な抵抗比が発生される。
【００４９】
鋸歯輪郭１６６、１６７とクランプエレメント１７０とを交換することもできる。すなわち、クランプエレメント１７０がケーシングの内面に配置され、鋸歯輪郭がコンタクトチャンバの外面に配置される。非対称の機械的な抵抗比を実現するために、この場合には、クランプエレメントの突出方向および鋸歯輪郭の勾配が変えられなければならない。すなわちクランプエレメント１７０並びに平らなエッジ１６６は、引き出し方向１５０に突出し、急峻なエッジ１６７が挿入方向に突出する。択一的または付加的に、プラグコンタクト２１０並びにコンタクトエレメント１２２は、その接触点においてそれぞれ、コンタクトチャンバの外面並びにケーシングの内面の間の関係と同様に、形状が与えられた面を有することができる。
【００５０】
図４Ｂは、図４Ａに加えて、コンタクトチャンバ１２０の外面１２１でのてこ状に構成されたクランプエレメント１７０を示している。
【００５１】
プラグ２００のプラグコンタクト２１０が、挿入方向１４０で、コンタクトチャンバ１２０のコンタクトエレメント１２２内に挿入されると、コンタクトエレメント１２２のコンタクト壁部１２３がコンタクトチャンバの外面１２１の方向へ動く。これは、矢印１２８によって示されている。方向１２８でのコンタクト壁部１２３の動きは、次のことによって生じる。すなわち、コンタクトエレメント１２２が湾曲部１２６を有しており、これによってコンタクトエレメント１２２の内径１２７が、コンタクトエレメント２１０の幅よりも小さくなっていることによって生じる。これによってコンタクト壁部１２３は、プラグコンタクト２１０の挿入時に、外側へと動かされる。これによって力作用が、クランプエレメント１７０に加わる。従って、クランプエレメント１７０は傾倒運動または回転運動を矢印１２９の方向において行う。これによって、コンタクトチャンバは引き出された状態にロックされた状態から、挿入方向へと動かされる。なぜなら、クランプエレメント１７０は、もはや、ケーシングの内面とロックされていないからである。
【図１】
2014056823.tif 000003
【図２】
2014056823.tif 000004
【図３】
2014056823.tif 000005
【図４Ａ】
2014056823.tif 000006
【図４Ｂ】
2014056823.tif 000007